(57)【要約】【課題】開閉部材を閉止する際に、閉止させる動作の途中で開閉部材を閉状態へ引き込むことで操作感覚を向上させることができる開閉機構及び画像形成装置を得る。【解決手段】排出トレイ３０を揺動させるとピン部材４０は、捩じりコイルスプリング４８によって保持位置に付勢されるカム部材４４のカム面４４Ａに当接し、ピン部材４０はカム面４４Ａを押圧する。カム面４４Ａを押圧すると、カム部材４４が捩じりコイルスプリング４８の付勢力に対抗して回動する。ピン部材４０がカム面４４Ａを押圧してカム部材４４を回動させる回動量が最大となる位置（中立位置）を越えると、捩じりコイルスプリング４８の付勢力でカム部材４４が逆転する。これにより、カム部材４４はピン部材４０を揺動させて排出トレイ３０を引き込む。このように、排出トレイ３０を閉止する際に、閉止させる動作の途中で閉状態へ引き込むことで操作感覚を向上させることができる。【選択図】図１
2010039026.tif 000002
【特許請求の範囲】
【請求項１】
本体を開放する開状態と、本体を閉止する閉状態との間を揺動可能に支持される開閉部材と、
前記開閉部材に備えられたピン部材と、
前記開閉部材を開状態から閉状態へ向けて揺動させて前記ピン部材と当ると、前記ピン部材を引き込んで前記開閉部材を閉状態で保持する引込手段と、
前記ピン部材と前記引込手段の当接状態を解除し、前記開閉部材の自重で前記開閉部材を閉状態から開状態へ揺動させる開放手段と、
を備える開閉機構。
【請求項２】
前記引込手段は、
偏心した位置に回転軸を備え、前記開閉部材を開状態から閉状態へ揺動させたときに前記ピン部材と当接する円弧状のカム面が設けられ、前記ピン部材に前記カム面が押圧されると前記回転軸を中心に回動するカム部材と、
前記カム部材を保持位置へ付勢するカム付勢部材と、を備え、
前記カム部材は、前記保持位置で前記ピン部材と当接して前記開閉部材から離れる方向へ回動し、中立位置で逆転して前記ピン部材を引き込み保持位置で前記ピン部材を保持する請求項１に記載の開閉機構。
【請求項３】
前記開放手段は、
前記ピン部材を前記開閉部材から突出させる第１の位置と前記第１の位置より前記開閉部材側に移動した第２の位置との間を移動可能に支持する支持手段と、
前記ピン部材を前記第１の位置へ付勢するピン付勢部材と、
前記第１の位置に付勢された前記ピン部材を前記第２の位置へ押圧し、前記カム部材の前記カム面から前記ピン部材を離間させる押圧部材と、
を備える請求項２に記載の開閉機構。
【請求項４】
請求項１〜３何れか１項に記載された開閉機構を備えた画像形成装置。
【発明の詳細な説明】
【技術分野】
【０００１】
本発明は、開閉部材の開閉機構及びこれを備えた画像形成装置に関する。
【背景技術】
【０００２】
特許文献１に記載の画像形成装置は、開放させると画像形成用のシート部材が載置されるトレイユニット（給紙トレイ）と、このトレイユニットが開放されるのと連動して閉状態から開放されるカバーユニットを備えて構成されている。
【０００３】
そして、トレイユニットと連動して開放されたこのカバーユニットは、画像が形成されたシート部材を排出する排出トレイとなる。つまり、カバーユニットを開放するたけで、給紙トレイと排出トレイを形成することができる構成となっている。
【特許文献１】特開２００８−４４７０９号公報
【発明の開示】
【発明が解決しようとする課題】
【０００４】
しかしながら、カバーユニットを閉止させるときは、トレイユニットとは連動しておらずカバーユニット自体を閉止させなければならない。つまり、カバーユニットを開放させるときはトレイユニットを開放させなければならず、これに対し、カバーユニットを閉止させるときはカバーユニット自体を閉止しなければない。このため、不自然な操作感覚を生じさせる場合があった。
【０００５】
一方、開放されたカバーユニット（開閉部材）を閉止する際に、閉止する動作の途中でカバーユニットが閉状態へ引き込まれると操作感覚が向上するという事実もある。
【０００６】
本発明は、上記事実を考慮し、開閉部材だけを開放及び閉止することができ、開閉部材を閉止する際に、閉止させる動作の途中で開閉部材を閉状態へ引き込むことで操作感覚を向上させることが課題である。
【課題を解決するための手段】
【０００７】
本発明の請求項１に係る開閉機構は、本体を開放する開状態と、本体を閉止する閉状態との間を揺動可能に支持される開閉部材と、前記開閉部材に備えられたピン部材と、前記開閉部材を開状態から閉状態へ向けて揺動させて前記ピン部材と当ると、前記ピン部材を引き込んで前記開閉部材を閉状態で保持する引込手段と、前記ピン部材と前記引込手段の当接状態を解除し、前記開閉部材の自重で前記開閉部材を閉状態から開状態へ揺動させる開放手段と、を備える。
【０００８】
上記構成によれば、開閉部材は本体を開放する開状態と、本体を閉止する閉状態との間を揺動可能に支持されている。そして、開閉部材を開状態から閉状態へ向けて揺動させると、引込手段がピン部材と当ってピン部材を引き込み、開閉部材を閉状態で保持する。
【０００９】
一方、開放手段は、ピン部材と引込手段の当接状態を解除し、開閉部材の自重で開閉部材を閉状態から開状態へ揺動させる。
【００１０】
このように、開放手段及び引込手段を設けることで、開閉部材だけを開放及び閉止することができ、さらに、開閉部材を閉止する際に、開閉部材を閉状態へ引き込むことで操作感覚を向上させることができる。
【００１１】
本発明の請求項２に係る開閉機構は、請求項１記載において、前記引込手段は、偏心した位置に回転軸を備え、前記開閉部材を開状態から閉状態へ揺動させたときに前記ピン部材と当接する円弧状のカム面が設けられ、前記ピン部材に前記カム面が押圧されると前記回転軸を中心に回動するカム部材と、前記カム部材を保持位置へ付勢するカム付勢部材と、を備え、前記カム部材は、前記保持位置で前記ピン部材と当接して前記開閉部材から離れる方向へ回動し、中立位置で逆転して前記ピン部材を引き込み保持位置に復帰して前記ピン部材を保持する。
【００１２】
上記構成によれば、開閉部材を開状態から閉状態へ向けて揺動させると、ピン部材がカム部材のカム面と当接する。ピン部材がカム面と当接すると、カム部材は、保持位置から開閉部材から離れる方向へ回動し、中立位置で逆転してピン部材を引き込み保持位置に復帰してピン部材を保持する。
【００１３】
このように、カム部材を用いて簡単な構成で、開閉部材を閉状態へ引き込むことができる。
【００１４】
本発明の請求項３に係る開閉機構は、請求項２記載において、前記開放手段は、前記ピン部材を前記開閉部材から突出させる第１の位置と前記第１の位置より前記開閉部材側に移動した第２の位置との間を移動可能に支持する支持手段と、前記ピン部材を前記第１の位置へ付勢するピン付勢部材と、前記第１の位置に付勢された前記ピン部材を前記第２の位置へ押圧し、前記カム部材の前記カム面から前記ピン部材を離間させる押圧部材と、を備える。
【００１５】
上記構成によれば、支持手段が、ピン部材を開閉部材から突出させる第１の位置と第１の位置より開閉部材側に移動した第２の位置との間を移動可能に支持しており、ピン付勢部材がピン部材を第１の位置へ付勢している。
【００１６】
そして、押圧部材が第１の位置に付勢されたピン部材を第２の位置へ押圧して、カム部材のカム面からピン部材を離間させると、開閉部材の自重で開閉部材が閉状態から開状態へ揺動する。
【００１７】
このように、支持手段、ピン付勢部材及び押圧部材を設けることで、容易に開閉部材を自重で閉状態から開状態へ揺動させることができる。
【００１８】
本発明の請求項４に係る画像形成装置は、請求項１〜３何れか１項に記載された開閉機構を備える。
【００１９】
上記構成によれば、画像形成装置に請求項１〜３何れか１項に記載された開閉機構が設けられている。
【００２０】
例えば、画像が形成されたシート部材が排出される排出トレイにこの開閉機構を採用することで、排出トレイを開放及び閉止させる操作感覚を向上させることができる。
【発明の効果】
【００２１】
本発明によれば、開閉部材だけを開放及び閉止することができ、開閉部材を閉止する際に、閉止させる動作の途中で開閉部材を閉状態へ引き込むことで操作感覚を向上させることができる。
【発明を実施するための最良の形態】
【００２２】
本発明の実施形態に係る開閉機構が採用された画像形成装置の一例を図１〜図１０に従って説明する。
【００２３】
（全体構成）
図１０に示されるように、画像形成装置としてのインクジェット記録装置１０は、液滴吐出ヘッドとしてのインクジェット記録ヘッド１２が装着されるキャリッジ１４と、キャリッジ１４を主走査方向Ｍに沿って走査させる主走査機構１６と、記録媒体としてのシート部材Ｐを副走査方向Ｓに沿って搬送する副走査機構１８と、メンテナンスステーション２０とを有している。
【００２４】
インクジェット記録ヘッド１２は、インク滴を吐出するノズル（図示省略）がシート部材Ｐと対向するようにキャリッジ１４に装着され、主走査機構１６によって主走査方向Ｍに移動しつつノズルからインク滴を吐出することにより、シート部材Ｐの一定のバンド領域に対して画像の記録を行う。主走査方向への１回の移動が終了すると、副走査機構１８によってシート部材Ｐが副走査方向Ｓに搬送され、再びキャリッジ１４が主走査方向Ｍに移動しながらバンド領域に対して画像の記録を行う。こうした動作を複数回繰り返すことにより、シート部材Ｐの全面にわたって画像記録を行うことができる。
【００２５】
図９に示されるように、インクジェット記録装置１０の前面には、開閉機構２８を構成する開閉部材としての排出トレイ３０が設けられている。そして、排出トレイ３０を閉状態（図１０参照）から開放させて開状態とすることで、インクジェット記録ヘッド１２から吐出されたインク滴によって画像が形成されたシート部材Ｐは、開状態の排出トレイ３０上に排出されるようになっている。
【００２６】
（要部構成）
図４に示されるように、排出トレイ３０は、湾曲状の板材とされており、閉状態の排出トレイ３０の上端部は下端部より本体外側（図中矢印Ａ方向）に張り出すよう設けられている。また、排出トレイ３０には、排出トレイ３０を揺動可能に保持する円柱状の回転軸３２が備えられており、この回転軸３２は、排出トレイ３０の揺動時に回転軸３２に抵抗を付与するダンパー部材３４を介して本体（図示省略）に保持されている。
【００２７】
さらに、回転軸３２側を基端部として本体内側（図中矢印Ｂ方向）に延びる断面矩形状のレバー部３０Ａが排出トレイ３０に設けられている。また、レバー部３０Ａの先端部側面には、有底の円孔３８が形成されている。この円孔３８には、レバー部３０Ａから突出する第１の位置（図６参照）と、第１の位置より排出トレイ３０側に移動してレバー部３０Ａに収納される第２の位置（図７参照）との間を移動可能に設けられる円柱状のピン部材４０が設けられている。つまり、円孔３８はピン部材を第１の位置と第２の位置との間を移動可能に支持する支持手段である。
【００２８】
さらに、ピン部材４０と円孔３８の底との間には、ピン部材４０を第１の位置へ付勢する圧縮コイルスプリング４２が設けられている。
【００２９】
一方、図３、図６、図８に示される保持位置で第１の位置に付勢されるピン部材４０の移動を阻止することで排出トレイ３０を閉状態で保持する外形円状のカム部材４４が設けられている。詳細には、カム部材４４の円孔状のカム面４４Ａにピン部材４０が当接してピン部材４０の移動が阻止されている。
【００３０】
そして、このカム部材４４には、カム部材４４を回動自在に保持する回転軸４６が偏心した位置に設けられ、この回転軸４６は、本体（図示省略）に回転可能に保持されている。これにより、図１（Ｂ）図２（Ａ）に示されるように、開状態の排出トレイ３０を閉状態へ向けて揺動させると、ピン部材４０が円孔状のカム面４４Ａと当接してカム面４４Ａを押圧し、カム部材４４が回転軸４６を中心に保持位置から図２（Ａ）に示す矢印Ｄ方向に回動するようになっている。
【００３１】
さらに、この回転軸４６の周りには、捩じりコイルスプリング４８が設けられており、この捩じりコイルスプリング４８の一端は本体底板１０Ａに当接し、捩じりコイルスプリング４８の他端はカム部材４４に形成された凸部４４Ｂに引っ掛けられている。この構成により、捩じりコイルスプリング４８は、カム部材４４を保持位置に付勢する構成となっている。
【００３２】
一方、図４に示されるように、圧縮コイルスプリング４２によって第１の位置に付勢されるピン部材４０を第２の位置へ押圧してピン部材４０をレバー部３０Ａに収納させ、ピン部材４０をカム部材４４のカム面４４Ａから離間させる押圧部材５０が設けられている。
【００３３】
図５（Ａ）（Ｂ）（Ｃ）に示されるように、押圧部材５０には、上下に延びる断面矩形状の押圧部５２が備えられ、押圧部５２の上端部は、本体から露出するように配置されている（図１０参照）。また、押圧部５２は上下方向に移動可能に本体（図示省略）に支持されており、押圧部５２の下端部は箱状の切替箱５４に挿入されている。
【００３４】
さらに、切替箱５４に挿入された押圧部５２の下端部には、一対の立板６０Ａを備えて下方が開口したコ字形状の固定部６０が設けられている。また、この一対の立板６０Ａには、斜めに傾斜したスロット状の傾斜孔６８が形成されている。
【００３５】
さらに、図５（Ｃ）に示されるように、押圧部５２の下端部には、下方に延びる円柱部６２が形成されており、この円柱部６２は、切替箱５４の底面５４Ａに形成された円孔６４に挿通するようになっている。また、この円柱部６２には圧縮コイルスプリング５８が挿通され、この圧縮コイルスプリング５８は、切替箱５４の底面５４Ａと押圧部５２の下端部に挟まれ、押圧部５２を上方に向けて付勢している。
【００３６】
さらに、固定部６０に設けられた一対の立板６０Ａに挟まれるように、移動部材６６が設けられ、移動部材６６には、先端部がピン部材４０（図４参照）に向けて水平方向に延びる棒状の可動部５６が備えられている。詳細には、移動部材６６は、上下方向に解放された断面矩形状とされ、一対の側面６６Ａに円孔６６Ｂが設けられている。
【００３７】
さらに、移動部材６６及び固定部６０を支持する切替箱５４には、移動部材６６を移動可能に保持する角孔７０が側壁５４Ｂ、側壁５４Ｃに設けられ、さらに、側壁５４Ｂ、側壁５４Ｃと直交する側壁５４Ｄ、側壁５４Ｅには、横方向に延びるスロット孔７２が設けられている。
【００３８】
そして、このスロット孔７２、移動部材６６に設けられた円孔６６Ｂ、及び押圧部材５２の下端部に設けられた立板６０Ａの傾斜孔６８を挿通すると共に、スロット孔７２及び傾斜孔６８を移動可能とされる円柱状のピン７４が設けられている。
【００３９】
この構成により、図５（Ａ）（Ｂ）（Ｃ）に示されるように、初期位置に配置される押圧部５２（図５（Ａ）参照）の上端部に押圧力Ｐを下方へ向けて負荷すると、圧縮コイルスプリング５８の付勢力に対抗して固定部６０が下方へ移動する。これにより、ピン７４がスロット孔７２及び傾斜孔６８を移動しながら、移動部材６６に設けられた可動部５６を、ピン部材４０（図４参照）を押圧するように突出方向へ移動させる。そして、可動部５６の先端部がピン部材４０（図４参照）を押圧してピン部材４０を第２の位置へ移動させるようになっている（図５（Ｂ）参照）。
【００４０】
これに対し、押圧部５２の上端部から押圧力Ｐを開放すると圧縮コイルスプリング５８の付勢力で、可動部５６がピン部材４０から離間する方向へ移動すると共に、ピン７４がスロット孔７２及び傾斜孔６８を移動しながら、押圧部５２が初期位置（図５（Ａ）参照）に復帰するようになっている。
【００４１】
（作用・効果）
図１０に示されるように、インクジェット記録装置１０を作動させて、シート部材Ｐに画像を形成される場合には、先ず、画像が形成されたシート部材Ｐを排出する排出トレイ３０を閉状態から開状態にしなければならない。
【００４２】
そこで、ユーザーは、本体から突出した押圧部５２の上端部を下方に向けて押圧する。図５（Ａ）（Ｂ）（Ｃ）に示されるように、押圧部５２を押圧すると、押圧部５２が下方へ移動する。押圧部５２が下方へ移動すると、圧縮コイルスプリング５８の付勢力に対抗して固定部６０が下方へ移動する。これにより、ピン７４がスロット孔７２及び傾斜孔６８を移動しながら、移動部材６６に設けられた可動部５６を、ピン部材４０（図４参照）を押圧するように突出方向へ移動させる（図５（Ｂ）参照）。そして、可動部５６の先端部がピン部材４０（図４参照）を押圧して第１の位置（図６参照）から第２の位置（第７参照）へ移動させる。ピン部材４０が第２の位置へ移動するとピン部材４０はカム面４４から離間する。
【００４３】
前述したように閉状態の排出トレイ３０の上端部は下端部より本体外側（図中矢印Ａ方向）に張り出すよう設けられているため、ピン部材４０がカム面４４Ａから離間すると、図３に示されるように、排出トレイ３０は自重で開状態へ揺動する。ここで、排出トレイ３０の回転軸３２はダンパー部材３４（図４参照）を介して本体に固定されているため、排出トレイ３０の回転軸３２には抵抗が負荷される。このため、排出トレイ３０は適度な速度で閉状態から開状態へ揺動する。
【００４４】
なお、可動部５６によって第２の位置へ移動したピン部材４０は、排出トレイ３０が揺動することで可動部５６から離間して圧縮コイルスプリング４２の付勢力で第１の位置へ復帰する。
【００４５】
図９に示されるように、排出トレイ３０を開状態へ揺動させることで、画像が形成されたシート部材Ｐが排出トレイ３０に排出可能となる。
【００４６】
これに対し、インクジェット記録装置１０の使用を止めて排出トレイ３０を開状態から閉状態へ揺動させる場合は、図１（Ａ）に示されるように、開状態の排出トレイ３０を矢印Ｃ方向に揺動させなければならない。そこで、ユーザーは、排出トレイ３０の意匠面（閉状態で外側を向く面）に手を添えて矢印Ｃ方向へ向けて排出トレイ３０を揺動させる。
【００４７】
図１（Ｂ）に示されるように、排出トレイ３０を揺動させるとレバー部３０Ａ及び第１の位置に付勢されるピン部材４０も回転軸３２を中心に揺動する。ピン部材４０は、捩じりコイルスプリング４８によって保持位置に付勢されるカム部材４４のカム面４４Ａに当接し、ピン部材４０はカム面４４Ａを押圧する。ピン部材４０がカム面４４Ａを押圧することで、図２（Ａ）に示されるように、カム部材４４が捩じりコイルスプリング４８の付勢力に対抗して矢印Ｄ方向に回転軸４６を中心に回動する。
【００４８】
そして、図２（Ｂ）に示されるように、ピン部材４０がカム面４４Ａを押圧してカム部材４４を回動させる回動量が最大となる位置（中立位置）を越えると、捩じりコイルスプリング４８の付勢力でカム部材４４が逆方向（矢印Ｅ方向）へ回動する。カム部材４４が矢印Ｅ方向へ回動すると、カム部材４４のカム面４４Ａはピン部材４０を揺動させて排出トレイ３０を引き込み、排出トレイ３０を閉状態に揺動させて保持する。
【００４９】
このように、排出トレイ３０だけを開放及び閉止することができ、排出トレイ３０を閉止する際に、閉止させる動作の途中で閉状態へ引き込むことで操作感覚を向上させることができる。
【００５０】
また、カム部材４４を用いることで簡単な構成で、排出トレイ３０を閉状態へ引き込むことができる。
【００５１】
また、押圧部材５０を設けることで、容易に排出トレイ３０を自重で閉状態から開状態へ揺動させることができる。
【００５２】
また、排出トレイ３０の回転軸３２にダンパー部材３４を設けることで、ダンパー部材３４が無い場合と比較して、適度な速度で排出トレイ３０を閉状態から開状態に揺動させることができる。
【図面の簡単な説明】
【００５３】
【図１】（Ａ）（Ｂ）本発明の実施形態に係る開閉機構に設けられた排出トレイ及びカム部材等の動作状態を側方から示した説明図である。
【図２】（Ａ）（Ｂ）本発明の実施形態に係る開閉機構に設けられた排出トレイ及びカム部材等の動作状態を側方から示した説明図である。
【図３】本発明の実施形態に係る開閉機構に設けられた排出トレイ及びカム部材等の動作状態を側方から示した説明図である。
【図４】本発明の実施形態に係る開閉機構に設けられた排出トレイ、カム部材及び押圧部材等を示した分解斜視図である。
【図５】（Ａ）（Ｂ）（Ｃ）本発明の実施形態に係る開閉機構に設けられた押圧部材等を示した斜視図である。
【図６】本発明の実施形態に係る開閉機構に設けられた排出トレイ、カム部材及び押圧部材等を示した斜視図である。
【図７】本発明の実施形態に係る開閉機構に設けられた排出トレイ、カム部材及び押圧部材等を示した斜視図である。
【図８】本発明の実施形態に係る開閉機構に設けられた排出トレイ、カム部材及び押圧部材等を示した斜視図である。
【図９】本発明の実施形態に係る開閉機構が採用されたインクジェット記録装置を示した斜視図である。
【図１０】本発明の実施形態に係る開閉機構が採用されたインクジェット記録装置を示した斜視図である。
【符号の説明】
【００５４】
１０      インクジェット記録装置（画像形成装置）
２８      開閉機構
３０      排出トレイ（開閉部材）
３８      円孔（支持手段）
４０      ピン部材
４２      圧縮コイルスプリング（ピン付勢部材）
４４      カム部材
４４Ａ    カム面
４６      回転軸
４８      捩じりコイルスプリング（カム付勢部材）
５０      押圧部材
【図１】
2010039026.tif 000003
【図２】
2010039026.tif 000004
【図３】
2010039026.tif 000005
【図４】
2010039026.tif 000006
【図５】
2010039026.tif 000007
【図６】
2010039026.tif 000008
【図７】
2010039026.tif 000009
【図８】
2010039026.tif 000010
【図９】
2010039026.tif 000011
【図１０】
2010039026.tif 000012